(57)【要約】      （修正有）【課題】園芸や動物の汚物処理その他の様々な用途にも使用でき、臭いや汚れの問題のない、汚物処理に使用するスコップや動物用トイレを提供する。【解決手段】スコップの刃を差し替えることにより、園芸用や動物の汚物処理どちらにも使用でき、使い捨ての紙の刃や、ふき取り用のシートが付いている刃や、消臭剤や芳香剤、防虫剤、殺虫剤等の様々な有用な薬剤を染み込ませた刃も使える衛生的なスコップを使用する。不衛生な動物用トイレは消臭剤や芳香剤、防虫剤、殺虫剤等の様々な有用な薬剤を置くことができるトレイを持つことで解決する。【選択図】図２
2020120591.tif 000002
【特許請求の範囲】
【請求項１】
持ち手（３）となる棒の先に、クリップ（４）あるいは板状の物体が差し込める差込口（５）が設けられ、そのクリップ（４）の先あるいは差込口（５）がU字（７）、V字（８）、W字（９）、あるいはM字（１０）に曲がっており、ここに柔軟性のある紙等の板状の物体を挟み込むことができ、硬くて容易に曲がることのない材質、例えば鉄等の金属等、プラスチック等の物体でもクリップ（４）や差込口（５）のU字（７）、V字（８）、W字（９）、あるいはM字（１０）の形状に合わせてあらかじめ曲げ加工した物体を挟み込むことができ、持ち手（３）の先にこれらの様々な形状の物体を挟み込むことにより、園芸用、ペット用等のスコップ（１２）や熊手（４４）等の多用途な目的に使用することができることを特徴とするクリップ（４）または差込口（５）がついた持ち手（３）。
【請求項２】
請求項１に記載のクリップ（４）または差込口（５）がついた持ち手（３）に挟み込む様々な形状の物体を、スコップの刃（１１）（３８）とした場合、クリップ（４）や差込口（５）に合う限りにおいて紙のように柔軟な材質や硬くて容易に曲がることのない材質、例えば鉄等の金属等、プラスチック等様々な材質を使用することができ、様々な大きさ、形状の刃（１１）（３８）を使用でき、刃（１１）（３８）に穴（１６）をあけるなど、様々な加工を施したものを使用することができ、このスコップの刃（１１）（３８）自体に消臭剤や芳香剤、防虫剤、殺虫剤等の様々な有用な薬剤を染み込ませることでき、スコップの刃（１１）（３８）の裏面、背面（１８）にふき取り等に使用できるシート（１９）を装着することができ、スコップの刃（１１）（３８）に切り欠き（２０）を入れる等の手段を用いることで、裏面、背面（１８）に市販のふき取り等に使用できるシート（２２）を装着することができ、また、水栓トイレ等で流せるように水中で粉々に分解されたり溶けたりする材質が使えることを特徴とするスコップの刃（１１）（３８）。
【請求項３】
請求項２に記載のスコップの刃（１１）（３８）として使用できる物体を置くことができるトレイ（２４）であり、スコップの刃（１１）（３８）自体に消臭剤や芳香剤、防虫剤、殺虫剤等の様々な有用な薬剤を染み込ませている場合は、そこに置くスコップの刃（１１）（３８）の枚数を変えることで消臭剤や芳香剤、防虫剤、殺虫剤等の様々な有用な薬剤が周りに拡散する力を調整できることを特徴とするトレイ（２４）であり、または、請求項２に記載のスコップの刃（１１）（３８）として使用できる物体を置くことができるトレイ（２４）であり、スコップの刃（１１）（３８）を置く場所に消臭剤や芳香剤、防虫剤、殺虫剤等の様々な有用な薬剤の原液や原材料（２５）を入れることができ、そこに置くスコップの刃（１１）（３８）の枚数を変えることで消臭剤や芳香剤、防虫剤、殺虫剤等の様々な有用な薬剤が周りに拡散する力を調整でき、かつスコップの刃（１１）（３８）が消臭剤や芳香剤、防虫剤、殺虫剤等の様々な有用な薬剤の原液や原材料（２５）に触れることにより、その薬剤の効果がスコップの刃（１１）（３８）にもうつるようになっていることを特徴とするトレイ（２４）であり、または、トレイが２重構造（２７）（２８）になっているか、１つのトレイの中に２つの空間（３３）を持っており、２重構造（２７）（２８）のトレイの１トレイ（２７）、２つの空間（３３）のトレイの１空間（３５）には請求項２に記載のスコップの刃（１１）（３８）として使用できる物体を置くことができ、２重構造（２７）（２８）のトレイの他方のトレイ（２８）、２つの空間（３３）のトレイの他方の空間（３４）には消臭剤や芳香剤、防虫剤、殺虫剤等の様々な有用な薬剤の原液や原材料（２５）を入れることができ、スコップの刃（１１）（３８）を入れるトレイ（２７）、空間（３５）と薬剤を入れるトレイ（２８）、空間（３４）との間の仕切りに穴（３２）（３６）があいており、薬剤の成分は薬剤を入れているトレイ（２８）、空間（３４）からスコップの刃（１１）（３８）を入れているトレイ（２７）、空間（３５）を通って外に出て効果を発揮するようになっており、そのためスコップの刃（１１）（３８）を置くトレイ（２７）、空間（３５）のスコップの刃（１１）（３８）の枚数を変えることでトレイの外に出る消臭剤や芳香剤、防虫剤、殺虫剤等の様々な有用な薬剤が周りに拡散する力を調整でき、かつスコップの刃（１１）（３８）が消臭剤や芳香剤、防虫剤、殺虫剤等の様々な有用な薬剤の成分に触れることにより、その薬剤の効果がスコップの刃（１１）（３８）にもうつるようになっていることを特徴とする２重構造のトレイ（２７）（２８）、２つの空間を持つトレイ（３３）であり、これらの全てのトレイ（２４）（２７）（２８）（３３）は独立してそれのみで玄関等の様々な場所に置くことができるが、スコップの刃（１１）（３８）を動物の汚物処理用として使用する場合や、トレイ（２４）（２７）（２８）（３３）の中に入れる薬剤の効果を考えると、動物用トイレ（２３）の近くでその効力を高く発揮することができるため、トレイ（２４）（２７）（２８）（３３）を動物用トイレ（２３）に装着して一体型としたり、トレイ（２４）（２７）（２８）（３３）が動物用トイレ（２３）と着脱可能となっていてもよいことを特徴とするスコップの刃（１１）（３８）や消臭剤や芳香剤、防虫剤、殺虫剤等の様々な有用な薬剤の原液や原材料（２５）を入れるためのトレイ（２４）（２７）（２８）（３３）または動物用トイレ（２３）。
【発明の詳細な説明】
【技術分野】
【０００１】
本願発明はペット用、園芸用等の様々な用途にその必要に応じて刃を差し替えることができる「クリップまたは差込口がついた持ち手」およびそれに使用できるスコップの刃を用いて便利に使える動物用トイレおよびトレイに関する。
【背景技術】
【０００２】
ペット用として用いられているスコップは主に汚物処理で使用されている。これは動物用トイレから汚物を排除するために広く使用されている。汚物処理に使用するため、それ自体が汚れやすくなってしまうが、それを解決したものとして、特許文献１がある。これは犬の汚物処理スコップであり、スコップの先に袋を装着してそこに汚物を入れるようにしてスコップ自体は汚れないようになっている。また、同じように汚れを解決したものとして、特許文献２においては、スコップの刃として紙を交換して使えるものが提案されている。
【先行技術文献】
【特許文献】
【０００３】
【特許文献１】実登3030493公報
【特許文献２】特開2010-51305公報
【発明の概要】
【発明が解決しようとする課題】
【０００４】
従来、動物のトイレで汚物処理に使うスコップは汚物処理に使うため汚れやすく臭いやすいという課題がある。特許文献１のスコップはその欠点を解決したものであり、犬の汚物が直接袋でキャッチするので便利だと考える。しかしながら、これは毎回キャッチできるとは限らず、キャッチできないと特許文献１の形状から袋で地面を擦りながら汚物を入れることになってしまい、そのため袋が破れてしまうことも想定され、衛生面に課題がある。また、特許文献１はその形状から一回一回袋を閉じて新しい袋をセットしなければならず、袋を多く消費するという課題がある。一回一回袋を閉じない場合も考えられるが、その場合、袋がいっぱいになるまでの間、袋の口が空いたままとなるので、臭いが漂ってしまう。そしてこのスコップはサイズが決まっており、自分の使いやすいサイズのスコップを使用することができない。特許文献２においても、スコップの刃の部分を同じサイズの紙に差し替えることが前提となっているため、刃に使用できる紙が同じサイズのものに限定され、特許文献１と同じように自分の使いやすいサイズのスコップを使用することができないという課題がある。そして、特許文献１、特許文献２のスコップはともに汚物処理にしか使用できないという課題がある。硬くて容易に曲がることのない材質、例えば鉄等の金属等、プラスチック等の刃等を使用して園芸等他の用途では使用できない。また、これらのスコップを使用して汚物を取り除く動物用トイレ自体についても、汚れや臭いという課題がある。
【課題を解決するための手段】
【０００５】
従来のスコップの刃を差し替え式にする。持ち手となる棒の先に、クリップあるいは板状の物体が差し込める差込口が設けられ、そのクリップの先あるいは差込口がU字、V字、W字、あるいはM字に曲がっており、ここにスコップの刃となる紙等の柔軟性のある板状の物体を挟み込むことができ、硬くて容易に曲がることのない材質、例えば鉄等の金属等、プラスチック等の柔軟性のない物体でもクリップや差込口のU字、V字、W字、あるいはM字の形状に合わせてあらかじめ曲げ加工したものを挟み込むことができ、これらの様々な形状の物体を挟み込むことにより、園芸用、ペット用等のスコップやショベル等の多用途な目的に使用することができる。使い捨てできるように厚紙等で作られたスコップの刃をこれに使用すれば、使用後は汚物と一緒に捨てられるようになり、清潔に使えるため最初の課題は解決できる。刃を差し替えていくことで、汚れやすく臭いやすいという課題を解決する。また、特許文献１の例において犬の汚物をキャッチできず、それが道路に落ちてしまった場合でも、このスコップならば、スコップでそのまま掬うので、袋を擦りながら汚物を入れることがないため、袋が破れてしまうという課題を解決できる。また、掬った後に別途用意した袋に入れることができる。袋は汚物を入れる都度開けて閉じられ、一杯になるまで使えるので汚物処理一回ごとに新しい袋を消費するという課題を解決することができる。袋は汚物が入り切るまで使え、無駄にならない。また、スコップの刃には消臭剤や芳香剤、防虫剤、殺虫剤等の様々な有用な薬剤を染み込ませておくことができる。例として、消臭剤であれば、汚物処理を進めるうちにスコップに臭いが残ってしまうような場合であってもそれを緩和することができる。また、このスコップの刃は差し替え式であり、スコップの刃の持ち手側のみをクリップあるいは差込口で保持するため、スコップ刃の大きさをある程度自由に選ぶことができる。この特徴により、自分の使いやすいサイズのスコップを使うことができないという課題を解決できる。また、差し替える物体として、硬くて容易に曲がることのない材質、例えば鉄等の金属等、プラスチック等の物体を挟むことができるため、熊手等として園芸等に使用可能でありペット等動物の汚物処理に限らず幅広い用途にて使用可能である。特許文献１、特許文献２のスコップはともに汚物処理にしか使用できないという課題を解決できる。そして前にも記述したように色々なサイズのスコップの刃を使用できるし、使いやすいようにスコップの刃に穴をあけたものや、消臭剤や芳香剤、防虫剤、殺虫剤等の様々な有用な薬剤を染み込ませたものを使用したり、スコップの刃の裏、背の部分にふき取りシートを装着することもできる。これを使用して汚物が付着していた場所を擦ることにより、道路や動物用のトイレを綺麗にすることができる。動物用トイレ自体については、消臭剤や芳香剤、防虫剤、殺虫剤等の様々な有用な薬剤を染み込ませた予備の刃を置けるトレイを設ければ、例えば消臭剤であれば、その臭いを緩和することができる。同時に刃の差し替えに便利である。また前にも記述したように刃の裏、背の部分にふき取り用のシートを装着し、動物用トイレにて汚物を掬うときに同時に動物用ト���レを掃除することができて、清潔さを保つことが可能であり、動物用トイレの汚れや臭いという課題を解決できる。
【図面の簡単な説明】
【０００６】
【図１】本願発明の請求項１の器具の例を横から見た図および斜めから見た図
【図２】本願発明の請求項２のスコップの刃の例
【図３】動物用トイレにスコップの刃を置くトレイを設けた例
【図４】動物用トイレに設けたトレイに薬剤の原液や原材料を入れる例
【図５】動物用トイレとトレイを着脱可能にした例
【図６】トレイを独立して使用する例
【図７】２重構造となっているトレイの例
【図８】２つの空間を持つトレイの例
【図９】動物用トイレと２重構造のトレイを着脱可能にした例
【図１０】２重構造のトレイを独立して使用する例
【図１１】網目状の蓋の例
【図１２】硬い材質でできたプラスチックや金属製等の刃の例
【図１３】金魚すくいとして使用した例
【図１４】移植スコップ大、移植スコップ小（目盛り付）として使用した例
【図１５】熊手として使用した例
【図１６】フォークとして使用した例
【図１７】根茎取りとして使用した例
【図１８】除草すきとして使用した例
【図１９】靴べらとして使用した例
【発明を実施するための形態】
【０００７】
本願発明のクリップ（４）または差込口（５）がついた持ち手（３）はスコップ（１２）としての用途のみならず、様々な道具として使用できるが、説明の都合上スコップ（１２）としてまずは説明する。本願発明のスコップ（１２）は刃（１１）が差し替え式となる。図１に例を記載する。刃（１１）の差し替え部分の器具の違いにより、クリップ式のスコップ（１）と差込口式のスコップ（２）の２種類がある。そして、それぞれ挟み込む口の形状はU字型（７）、V字型（８）、W字型（９）、あるいはM字型（１０）となっており、これらの形状のクリップ（４）あるいは差込口（５）が持ち手（３）に接続されている。こちらにスコップの刃（１１）を装着することで、スコップとして使用することができる。持ち手（３）の材質は硬くて壊れにくい金属や樹脂、合成樹脂、プラスチック、木等であり、持ち手（３）として安全に使用できる十分な強度を持つものが好ましい。また、クリップ（４）に装着されているばねはその力で挟んだ紙をU字型（７）、V字型（８）、W字型（９）、あるいはM字型（１０）の形状にしっかりと曲げることができ、また、金属等の重い物体もしっかりと固定できるほど強力であることが好ましく、ばね以外のクリップ（４）の材質もそれに見合った硬くて壊れにくい金属や樹脂、合成樹脂、プラスチック、木等であり、かつ安全に使用できる十分な強度を持つもので作成することが好ましい。ばねはその力でスコップの刃（１１）を固定するので、強力な方がよいが、一般的な女性の力でも開け閉めできるよう、ばねの強さやクリップ（４）の形状を調整することが好ましい。差込口（５）の場合、ばねはないが、差込口の先（１３）に物体を差し込むことによりその保持している箇所が少し外側に曲がり、元に戻ろうとする復元力によって物体を保持することとなり、軽い材質のものだけでなく重い金属等の材質を差し込んで固定する必要もあるため、硬くて壊れにくい金属や樹脂、合成樹脂、プラスチック、木等であり、かつ安全に使用できるよう十分な強度、柔軟性を持つ材質で作成するのが好ましい。持ち手（３）とクリップ（４）または差込口（５）の接続方法であるが、これもまた使用していくうちに接続部分（６）で折れてしまっては用をなさないので、溶接による接続や接続部の内部に硬い金属の棒等を通す等の強度を確保できる方法で接続するのが好ましい。持ち手（３）とクリップ（４）または差込口（５）を最初から一体型として成型してもよい。スコップの刃（１１）は、紙のような柔軟な板状の材質のものであれば、クリップ（４）あるいは差込口（５）に装着するときにクリップ（４）あるいは差込口（５）の形状に曲がらざるを得ないため、スコップ（１２）として使ったときに刃先から突く方向に強くなり、汚物処理用のスコップ（１２）として問題なく使用できる強度となる。ただし、通常のコピー用紙のように薄い紙等の材質だと先から折れ曲がりやすくなるので、使用に適するよう適度な厚さのものが好ましい。クリップ（４）でなく差込口（５）を使用している場合、刃（１１）は差込口（５）の厚さに合わせた紙等を使う必要がある。厚さが足りない場合は、その不足分を差込口の先（１３）からその奥にしっかりと薄い紙等で埋め、差込口（５）���スコップの刃（１１）がしっかりと挟み込まれ、ゆるみがない状態で使用することが好ましい。
【０００８】
スコップの刃（１１）は形状、大きさもある程度自由。厚めの紙等の柔軟な板状の物質ならば、クリップ（４）や差込口（５）に合う限りにおいては大きな刃（１４）、形状が長方形の刃（１５）等であっても図２のようにそのまま挟んで使用することができる。そのため、雑誌の表紙等一般家庭によくあるものでもそのまま挟んで使用することができる汎用性がある。また、本願発明のクリップ（４）または差込口（５）がついた持ち手（３）に取り付ける物体は差し替えることができるので、紙等の柔軟な材質でなくとも、図１２のような硬くて容易に曲がることのない材質、例えば鉄等の金属等、プラスチック等の刃（３８）も装着することができる。刃（１１）（３８）を差し替え式にしたことにより、使い終わった汚れた刃（１１）（３８）を汚物と一緒に捨てて、新しい刃（１１）（３８）を使用することができる。これによりスコップを常に清潔に保つことができる。汚物の処理方法として家庭の水洗トイレに流している場合でも、スコップの刃（１１）（３８）を水に濡れると細かく分解したり溶けたりする紙等の材質にて作成すれば、使用後に汚物と同様に水栓トイレに流すことができる。汚物の処理方法に応じてスコップの刃（１１）（３８）の材質も様々なものを選択することができる。これらの刃（１１）（３８）は様々な加工をすることができる。スコップの刃（１１）（３８）に猫用トイレで使用される猫砂等の粒の大きさに合わせて穴（１６）をあけることができる。この例が図２にある猫砂をふるいにかけられるスコップの刃（１７）である。猫砂のトイレの汚物をこれで掬ったとき、この刃（１７）の上でふるいにかけ、汚物を残し猫砂のみ落とすという使い方ができる。
【０００９】
スコップの刃（１１）（３８）に消臭剤や芳香剤、防虫剤、殺虫剤等の様々な有用な薬剤を染み込ませておくことができる。これにより、消臭剤であれば汚物をスコップ（１２）で掬うとき、その臭いを緩和することができる。また、汚物を袋に入れて捨てる時、この刃（１１）（３８）を一緒に入れて捨てると袋から漂う臭いも緩和される等使用する薬剤に応じてそれぞれの効果が期待できる。
【００１０】
本願発明のスコップの刃（１１）（３８）の裏面、背面（１８）にふき取り用のシート（１９）を装着することができる。これを使用すると、スコップ（１２）で汚物を掬う際、裏、背（１８）の部分にて動物用トイレ等に付着した汚物を拭くことができる。屋外で犬の散歩をしている時に汚物を道路から掬う際、道路が汚れてしまう時があるが、裏面、背面（１８）の部分にふき取り用のシート（１９）を装着したスコップ（１２）を用い、刃（１１）（３８）の裏面、背面（１８）で道路を拭いて綺麗にすることができる。また、最初から刃（１１）（３８）の裏面、背面（１８）にふき取り用のシート（１９）が装着されてなくとも、図２にある切り欠き（２０）を入れた刃（２１）を用いることで、市販のふき取り等に使用できるシート（２２）を刃（２１）の裏面、背面（１８）に取り付けられるようにできる。
【００１１】
本願発明のスコップの刃（１１）（３８）と同時に使用できる動物用トイレ（２３）およびトレイ（２４）について説明する。図３のように動物用トイレ（２３）に本願発明のスコップの刃（１１）（３８）を置くトレイ（２４）を設ける。ここに消臭剤や芳香剤、防虫剤、殺虫剤等の様々な有用な薬剤を染み込ませている刃（１１）（３８）をおくと、消臭剤ならば動物用トイレ（２３）から発する臭いを緩和できる等、薬剤に応じた効果が期待できる。刃（１１）（３８）を置く枚数を調整することにより、その薬剤が周りに拡散する力も調整することができる。また、図４のようにこのトレイ（２４）に消臭剤や芳香剤、防虫剤、殺虫剤等の様々な有用な薬剤の原液や原材料（２５）そのものを入れて使用することもできる。これらは液体に限らず、固体でもよい。そして、それらの原液や原材料を入れたトレイ（２４）の中に本願発明のスコップの刃（１１）（３８）を置き枚数を調整すれば、スコップの刃（１１）（３８）がトレイ（２４）の蓋の役割を果たし、動物用トイレ（２３）の周りで発揮される消臭剤や芳香剤、防虫剤、殺虫剤等の様々な有用な薬剤が周りに拡散する力を調整することができる。そしてさらにスコップの刃（１１）（３８）を消臭剤や芳香剤、防虫剤、殺虫剤等の様々な有用な薬剤の原液や原材料（２５）に入れておくことにより、消臭剤や芳香剤、防虫剤、殺虫剤等の様々な有用な薬剤の原液や原材料（２５）がスコップの刃（１１）（３８）に染み込み消臭剤や芳香剤、防虫剤、殺虫剤等の様々な有用な薬剤の効果がうつる。結果、例えば消臭剤であれば、汚物をスコップ（１２）で掬うとき、その臭いを緩和することができる。また、汚物を袋に入れて捨てる時、この刃（１１）（３８）を一緒に入れると袋から漂う臭いも緩和される等、薬剤に応じた効果が期待できる。このようなトレイ（２４）は図３のように動物用トイレ（２３）と一体型として作ることもできるが、図５のように従来の動物用トイレ（２３）に着脱可能とする手段を使用することもできる。図５では一つの手段として着脱器具（２６）により、着脱可能としている。そして、図６のように独立したトレイとして使用することもできる。動物用トイレ（２３）の横にも置けるが、その他の場所に置くこともできる。
【００１２】
図７のように動物用トイレ（２３）にスコップの刃（１１）（３８）として使用できる物体を入れることができるトレイ１（２７）を持ち、同時にそのトレイ１（２７）の下部にもう一つトレイ２（２８）を持つ２重構造とすることもできる。トレイ１（２７）はトレイ２（２８）に対して着脱可能であり、トレイ１（２７）を外し、トレイ２（２８）に図７のように消臭剤や芳香剤、防虫剤、殺虫剤等の様々な有用な薬剤の原液や原材料（２５）を入れることができる。トレイ１（２７）とトレイ２（２８）は、はめ込み等の手段により着脱可能となっている。この例ではトレイ２（２８）の上面に４つの凸部（３０）があり、トレイ１（２７）の底、つまりトレイ２（２８）との仕切り（２９）には凹部（３１）があり、凸部（３０）と凹部（３１）がはめ込まれることで着脱が可能となっている。そしてこの仕切り（２９）には穴（３２）があいている。下方のトレイ２（２８）に消臭剤や芳香剤、防虫剤、殺虫剤等の様々な有用な薬剤の原液や原材料（２５）を入れると上方のスコップの刃（１１）（３８）を入れるトレイ１（２７）からその成分が出ることにより、動物用トイレ（２３）にそれら薬剤の効果を及ぼすことができる。トレイ１（２７）に置く刃（１１）（３８）の枚数を調整することで、刃（１１）（３８）がトレイ１（２７）の蓋の役割を果たし、これら消臭剤や芳香剤、防虫剤、殺虫剤等の様々な有用な薬剤が周りに拡散する力を調整することができる。また、そこに置いている時間にもよるがスコップの刃（１１）（３８）にも消臭剤や芳香剤、防虫剤、殺虫剤等の様々な有用な薬剤の効果が少なからずうつるので、例えば消臭剤であれば、汚物をスコップ（１２）で掬うとき、その臭いを緩和することができる。また、汚物を袋に入れて捨てる時、この刃（１１）（３８）を一緒に入れると袋から漂う臭いも緩和される等、薬剤に応じた効果が期待できる。なお、ここではトレイ１（２７）とトレイ２（２８）を着脱式で上下に並べているが、これが一体型であっても、左右に並んでいてもよい。図８のように２つの空間を持つトレイ（３３）の片方の空間１（３４）に消臭剤や芳香剤、防虫剤、殺虫剤等の様々な有用な薬剤の原液や原材料（２５）を入れる手段があり、もう片方の空間２（３５）にはスコップの刃（１１）（３８）が置けるようになっている。両方の空間の間の仕切りには薬剤を通す穴（３６）があいており、前に記述した例と同じように消臭剤や芳香剤、防虫剤、殺虫剤等の様々な有用な薬剤がもう片方の空間を通って外に出、動物用トイレ（２３）に薬剤の効果を及ぼすことができる。このようなトレイ１（２７）とトレイ２（２８）および２つの空間を持つトレイ（３３）は図７のように動物用トイレ（２３）と一体型として作ることもできるが、図９のように従来の動物用トイレ（２３）に着脱可能とする手段を使用することもできる。図９では一つの手段として着脱器具（２６）により、着脱可能としている。そして、図１０のように独立したトレイとして使用することもできる。動物用トイレ（２３）の横にも置けるが、その他の場所に置くこともできる。
【００１３】
今まで例としてあげたトレイ（２４）トレイ１（２７）とトレイ２（２８）および２つの空間を持つトレイ（３３）が動物用トイレ（２３）と一体成型で作成するのではなく、動物用トイレ（２３）へ後付けで装着して一体型とする場合は、容易に外れたり傾いたりして中のスコップの刃（１１）（３８）や薬剤が落ちないよう、強力な接着や２点以上での固定による装着が好ましい。このトレイ（２４）トレイ１（２７）とトレイ２（２８）および２つの空間を持つトレイ（３３）を着脱可能とする場合は、動物用トイレ（２３）への着脱器具（２６）とトレイ（２４）トレイ１（２７）とトレイ２（２８）および２つの空間を持つトレイ（３３）自身に十分な強度があり、使用しているうちに容易にずれたり傾いたりしないことが好ましい。トレイ（２４）トレイ１（２７）とトレイ２（２８）および２つの空間を持つトレイ（３３）を独立して置く自立型の場合は、きちんと自立し容易に倒れない形状にすることが好ましい。また、それらどの方式のトレイでもスコップの刃（１１）（３８）や消臭剤や芳香剤、防虫剤、殺虫剤等の様々な有用な薬剤の原液や原材料（２５）を動物が誤って舐めたりしないように蓋等の手段で覆うことが好ましい。図１１では例として網目状の蓋（３７）で覆っている。これらのトレイ（２４）トレイ１（２７）とトレイ２（２８）および２つの空間を持つトレイ（３３）の材質であるが、十分な硬さ、強度を持ち、上に乗る物体を十分保持できる金属や樹脂、合成樹脂、プラスチック等の材質が好ましい、それとともにスコップの刃（１１）（３８）の材質や中に染み込んでいる薬剤、またはその中に入れる臭剤や芳香剤、防虫剤、殺虫剤等の様々な有用な薬剤の原液や原材料（２５）により溶けてしまわないような材質で作成することが好ましい。
【００１４】
本願発明のクリップ（４）または差込口（５）がついた持ち手（３）に取り付ける物体は差し替えることができるので、紙等の柔軟な材質でなくとも、図１２のような硬くて容易に曲がることのない材質、例えば鉄等の金属等、プラスチック等の刃（３８）も装着することができる。硬い材質を使用する場合は、刃（３８）の持ち手（３）側の形状をそのクリップ（４）の先あるいは差込口（５）のU字型（７）、V字型（８）、W字型（９）、あるいはM字型（１０）に合わせる必要がある。図１２では例として、刃（３８）をU字型（７）に加工後の、持ち手（３）側から見た形（３９）と刃（３８）をW字型（９）に加工後の、持ち手（３）側から見た形（４０）がある。このように刃（３８）をそれぞれのクリップ（４）、差込口（５）に装着できる形状に加工する必要がある。クリップ（４）の場合は装着の際上下に挟み込むので、硬くて容易に曲がることのない材質、例えば鉄等の金属等、プラスチック等の刃（３８）の厚さはある程度自由にできるが、差込口（５）の場合は厚さを差込口（５）の広さに合わせ、使用するうちにぐらぐらしないようにすることが好ましい。このように硬くて容易に曲がることのない材質、例えば鉄等の金属等、プラスチック等の刃（３８）を使用した場合は、園芸等の様々な用途で使用することができる。
【００１５】
紙等の柔軟な材質を利用した他の例としては図１３に示す金魚すくい（４１）がある。これは紙等柔軟な材質で作成した使い捨ての金魚すくい（４１）を装着した例である。
【００１６】
硬くて容易に曲がることのない材質、例えば鉄等の金属等、プラスチック等の材質を使用した例として、図１４は移植スコップ大（４２）移植スコップ小（４３）を装着した例である。大小さまざまな形状のスコップの刃や、目盛り付き（４３）のものも使用することができ、硬い材質でできているので、十分園芸用途に活用することができる。また、図１５は熊手（４４）として使用した例、図１６はフォーク（４５）として使用した例、図１７は根茎取り（４６）として使用した例、図１８は除草すき（４７）として使用した例である。また園芸用具以外の例として、図１９は靴べら（４８）として使用した例である。このように本願発明のクリップ（４）または差込口（５）がついた持ち手（３）には様々な形状の物体を装着することが可能であり、それにより、様々な道具として使用できる。
【産業上の利用可能性】
【００１７】
本願発明のクリップまたは差込口がついた持ち手は刃が取り換えられるので、スコップとしての使い方のみならず、園芸用、ペット用等の様々な用途に使用できる。刃は様々な形状、大きさ、機能、染み込ませる薬剤、匂い等顧客の要望に応じたものを作成、販売することができる。
【符号の説明】
【００１８】
１…クリップがついた持ち手
２…差込口式がついた持ち手
３…持ち手
４…クリップ
５…差込口
６…持ち手とクリップまたは差込口の接続部分
７…クリップ、差込口の形状がU字型となっているもの
８…クリップ、差込口の形状がV字型となっているもの
９…クリップ、差込口の形状がW字型となっているもの
１０…クリップ、差込口の形状がM字型となっているもの
１１…クリップまたは差込口がついた持ち手をスコップとして使用する場合に装着する刃
１２…クリップまたは差込口がついた持ち手をスコップとして使用した場合の例
１３…差込口式がついた持ち手の差込口の先
１４…大きなスコップの刃
１５…長方形のスコップの刃
１６…スコップの刃にあけた穴
１７…猫砂をふるいにかけられるスコップの刃
１８…刃の裏面または背面
１９…刃に装着されたふき取り用のシート
２０…市販のふき取りシート装着のための切り欠き
２１…市販のふき取りシート装着のための切り欠きのついたスコップの刃
２２…市販のふき取り等に使用できるシート
２３…動物用トイレ
２４…スコップの刃や薬剤の原液や原材料を入れるトレイ
２５…消臭剤や芳香剤、防虫剤、殺虫剤等の様々な有用な薬剤の原液や原材料
２６…動物用トイレとトレイとの着脱器具
２７…２重構造のトレイのトレイ１
２８…２重構造のトレイのトレイ２
２９…２重構造のトレイ１とトレイ２の間の仕切り
３０…はめ込み部分の凸部
３１…はめ込み部分の凹部
３２…トレイ１とトレイ２の間の仕切りにあけている薬剤の成分が通る穴
３３…２つの空間を持つトレイ
３４…２つの空間を持つトレイの空間１
３５…２つの空間を持つトレイの空間２
３６…空間１と空間２の間の仕切りにあけている薬剤の成分が通る穴
３７…トレイに被せる網目状の蓋の例
３８…硬い材質でできたプラスチックや金属製等の刃
３９…U字型に加工したスコップの刃を持ち手側から見た形
４０…W字型に加工したスコップの刃を持ち手側から見た形
４１…金魚すくいとしての使用例
４２…移植スコップ大としての使用例
４３…目盛り付移植スコップ小としての使用例
４４…熊手としての使用例
４５…フォークとしての使用例
４６…根茎取りとしての使用例
４７…除草すきとしての使用例
４８…靴べらとしての使用例
【図１】
2020120591.tif 000003
【図２】
2020120591.tif 000004
【図３】
2020120591.tif 000005
【図４】
2020120591.tif 000006
【図５】
2020120591.tif 000007
【図６】
2020120591.tif 000008
【図７】
2020120591.tif 000009
【図８】
2020120591.tif 000010
【図９】
2020120591.tif 000011
【図１０】
2020120591.tif 000012
【図１１】
2020120591.tif 000013
【図１２】
2020120591.tif 000014
【図１３】
2020120591.tif 000015
【図１４】
2020120591.tif 000016
【図１５】
2020120591.tif 000017
【図１６】
2020120591.tif 000018
【図１７】
2020120591.tif 000019
【図１８】
2020120591.tif 000020
【図１９】
2020120591.tif 000021